(57)【特許請求の範囲】
【請求項１】
便器本体に取り付けられて該便器本体の便鉢の内部の空気の脱臭を行う脱臭装置において、
前記便鉢の内部に向かって開口する吸込口から前記便鉢の内部の空気を吸込んで脱臭し、脱臭された空気を前記便鉢の内部または外部へ吹き出すように形成された脱臭流路と、
該脱臭流路の前記吸込口側に設置される集塵フィルタと、を有し、
該集塵フィルタは、前記便鉢の内部に向かって開口する集塵フィルタ着脱口を介して前記脱臭流路に着脱可能であり、
前記集塵フィルタ着脱口は、シャッタによって開閉可能であり、
前記集塵フィルタは、前記脱臭流路に着脱する際に使用者が把持する取っ手を有し、
該取っ手は、前記集塵フィルタ着脱口と該集塵フィルタ着脱口を閉じた前記シャッタとの間に形成される隙間に収まる形状であることを特徴とする脱臭装置。
【請求項２】
前記脱臭流路は、前記集塵フィルタに形成された被係止部を係止可能な係止部を有する請求項１に記載の脱臭装置。
【請求項３】
前記集塵フィルタは、前記脱臭流路への取付け向きが設定されていて、
前記集塵フィルタが設定された取付け向きと逆向きに取り付けられることを防止するための逆向き取付防止機構を有する請求項１または２に記載の脱臭装置。
【請求項４】
前記シャッタを開放状態に維持する操作部材を有し、
該操作部材によって前記シャッタが開放状態に維持されると、前記集塵フィルタを前記集塵フィルタ着脱口を介して前記脱臭流路に着脱可能である請求項１乃至３のいずれか一項に記載の脱臭装置。
【請求項５】
前記シャッタは、上側を開放するように開口可能で、
前記集塵フィルタは、前記シャッタが上側を開放するように開口した状態で前記集塵フィルタ着脱口を介して前記脱臭流路に着脱可能である請求項１乃至４のいずれか一項に記載の脱臭装置。
【請求項６】
請求項１乃至５のいずれか一項に記載の脱臭装置が設けられていることを特徴とする便器。
【発明の詳細な説明】
【技術分野】
【０００１】
本発明は、便器本体に取付けられる脱臭装置および脱臭装置が設けられた便器に関する。
【背景技術】
【０００２】
従来、便器本体の便鉢の内部で発生した臭気を脱臭するための脱臭装置のダクト（脱臭流路）には、吸込口側にダクトに吸い込まれた空気の集塵を行う集塵フィルタが設けられている（例えば、特許文献１参照）。このような集塵フィルタは、ダクトに着脱可能で、ダクトから取り出して掃除可能となっている。
【先行技術文献】
【特許文献】
【０００３】
【特許文献１】特許第３５９６２１７号公報
【発明の概要】
【発明が解決しようとする課題】
【０００４】
集塵フィルタを便鉢の内部から着脱する場合、集塵フィルタの着脱口は、便鉢の内部に開口するように設けられている。このため、便鉢の内部の飛沫が集塵フィルタの着脱口から集塵フィルタ設置部分に入り込み、飛沫によって集塵フィルタが汚れることがある。
【０００５】
そこで、本発明は、便鉢の内部の飛沫によって集塵フィルタが汚れることを防止できる脱臭装置および便器を提供することを目的とする。
【課題を解決するための手段】
【０００６】
上記目的を達成するため、本発明に係る脱臭装置は、便器本体に取り付けられて該便器本体の便鉢の内部の空気の脱臭を行う脱臭装置において、前記便鉢の内部に向かって開口する吸込口から前記便鉢の内部の空気を吸込んで脱臭し、脱臭された空気を前記便鉢の内部または外部へ吹き出すように形成された脱臭流路と、該脱臭流路の前記吸込口側に設置される集塵フィルタと、を有し、該集塵フィルタは、前記便鉢の内部に向かって開口する集塵フィルタ着脱口を介して前記脱臭流路に着脱可能であり、前記集塵フィルタ着脱口は、シャッタによって開閉可能であり、前記集塵フィルタは、前記脱臭流路に着脱する際に使用者が把持する取っ手を有し、該取っ手は、前記集塵フィルタ着脱口と該集塵フィルタ着脱口を閉じた前記シャッタとの間に形成される隙間に収まる形状であることを特徴とする。
また、本発明に係る便器は、上記の脱臭装置が設けられていることを特徴とする。
【０００７】
本発明では、集塵フィルタ着脱口は、シャッタによって開閉可能であることにより、使用者が便器を使用する際には、シャッタを閉じた状態とすることで、集塵フィルタ着脱口を介して集塵フィルタ設置部分に便器の内部の飛沫が入り込むことを防止でき、便鉢の内部の飛沫によって集塵フィルタが汚れることを防止できる。
【０００８】
また、本発明では、集塵フィルタは、脱臭流路に着脱する際に使用者が把持する取っ手を有し、取っ手は、集塵フィルタ着脱口と集塵フィルタ着脱口を閉じたシャッタとの間に形成される隙間に収まる形状であることにより、シャッタを開放し集塵フィルタの取っ手を把持することで、使用者が集塵フィルタを脱臭流路に容易に着脱することができる。また、取っ手は、集塵フィルタ着脱口と集塵フィルタ着脱口を閉じたシャッタとの間に形成される隙間に収まる形状であることにより、シャッタと干渉しない構成とすることができる。
【０００９】
また、本発明に係る脱臭装置では、前記脱臭流路は、前記集塵フィルタに形成された被係止部を係止可能な係止部を有することが好ましい。
このような構成とすることにより、集塵フィルタを脱臭流路の集塵フィルタ取付部分に確実に設置することができる。
【００１０】
また、本発明に係る脱臭装置では、前記集塵フィルタは、前記脱臭流路への取付け向きが設定されていて、前記集塵フィルタが設定された取付け向きと逆向きに取り付けられることを防止するための逆向き取付防止機構を有することが好ましい。
このような構成とすることにより、集塵フィルタを脱臭流路の集塵フィルタ取付部分に正しい向きに取り付けることができる。
【００１１】
また、本発明に係る脱臭装置では、前記シャッタを開放状態に維持する操作部材を有し、該操作部材によって前記シャッタが開放状態に維持されると、前記集塵フィルタを前記集塵フィルタ着脱口を介して前記脱臭流路に着脱可能であることが好ましい。
このような構成とすることにより、シャッタが操作部材によって開放状態に維持されるため、使用者がシャッタを開放状態となるように押さえる必要がなく、集塵フィルタを脱臭流路の集塵フィルタ取付部分に容易に着脱することができる。
【００１２】
また、本発明に係る脱臭装置では、前記シャッタは、上側を開放するように開口可能で、前記集塵フィルタは、前記シャッタが上側を開放するように開口した状態で前記集塵フィルタ着脱口を介して前記脱臭流路に着脱可能である構成としてもよい。
このような構成とすることにより、シャッタの上側から集塵フィルタを着脱することができるため、集塵フィルタを脱臭流路の集塵フィルタ取付部分に容易に着脱することができる。
【発明の効果】
【００１３】
本発明によれば、便鉢の内部の飛沫によって集塵フィルタが汚れることを防止できる。
【図面の簡単な説明】
【００１４】
【図１】本発明の実施形態による便器の一例を示す斜視図である。
【図２】機能部の内部を示す斜視図である。
【図３】脱臭流路と上側開放状態のシャッタを示す斜視図である。
【図４】脱臭流路と下側開放状態のシャッタを示す斜視図である。
【図５】除菌・脱臭装置を説明する図である。
【図６】（ａ）は集塵フィルタの正面図、（ｂ）は（ａ）の側面図である。
【図７】集塵フィルタの設置位置を説明する斜視図である。
【図８】集塵フィルタが脱臭流路に設置された様子を説明する図である。
【図９】集塵フィルタが逆向きに脱臭流路に設置された様子を説明する図である。
【発明を実施するための形態】
【００１５】
以下、本発明の実施形態による脱臭装置および便器について、図１乃至図９に基づいて説明する。
図１に示すように、本実施形態による便器１は、水洗式大便器で、トイレ空間１１の床面１２に設置され下方に延びる排水配管（不図示）に接続された便器本体２と、便器本体２に取り付けられた機能部３と、機能部３を介して便器本体２に回動可能に取り付けられた便座４および便蓋５と、を有している。
【００１６】
図２に示すように、機能部３とは、局部洗浄装置６、便器本体２の便鉢２１の内部の空気を除菌・脱臭する除菌・脱臭装置（脱臭装置）７、便鉢２１の内部を照明する照明装置８などの各種機能装置や各種機能部品、これらの各種機能装置や各種機能部品の駆動を制御する制御部（不図示）、各種機能装置や各種機能部品および制御部に電力を供給するための電力部（不図示）などと、これらを収容するケース９とを示している。
ここで、便器１の機能部３が設けられている側を前後方向の後側とし、便座４が設けられている側を前後方向の前側とする。またこの前後方向に直交する水平方向を幅方向とする。
【００１７】
図３に示すように、局部洗浄装置６は、一対の局部洗浄ノズル６１１，６１２を有するノズルユニット６１と、ノズルユニット６１に温水を供給するための温水供給ユニット６２と、温風乾燥時に駆動される温風乾燥ユニット６３と、を有している。
ノズルユニット６１は、機能部３の幅方向略中央部に配置されている。一対の局部洗浄ノズル６１１，６１２は、一方が肛門洗浄用の第１ノズル６１１で、他方がビデ用の第２ノズル６１２を構成している。第１ノズル６１１および第２ノズル６１２は、幅方向に隣接していて、第１ノズル６１１が幅方向の一方側に配置され、第２ノズル６１２が幅方向の他方側に配置されている。
【００１８】
第１ノズル６１１および第２ノズル６１２は、それぞれ前方向かって漸次下方に向かう傾斜方向に延びる形状に形成されている。第１ノズル６１１および第２ノズル６１２は、それぞれケース９に設けられた支持部６１３によって前方向かって漸次下方に向かう傾斜方向にそれぞれ個別に進退可能に支持されている。支持部６１３は、例えば、ラックアンドピニオン機構、ラックアンドピニオン機構のピニオンに接続されたモータなどで構成されている。
第１ノズル６１１および第２ノズル６１２が延在し、進退する傾斜方向をノズルの移動方向とし、このノズルの移動方向のうち第１ノズル６１１および第２ノズル６１２が前方かつ下方に前進する側を前側とし、後方かつ上側に後退する側を後側とする。
【００１９】
ケース９の前面９ａには、幅方向の略中央部に、進退する第１ノズル６１１が通過する第１ノズル進退口９１ａおよび進退する第２ノズル６１２が通過する第２ノズル進退口９１ｂが幅方向に隣接して形成されている。
また、ケースの前面９ａには、第１ノズル進退口９１ａの幅方向の一方側に隣接して除菌・脱臭装置７の集塵フィルタ７５を着脱するための集塵フィルタ着脱口９１ｆが形成され、集塵フィルタ着脱口９１ｆの更に幅方向の一方側に隣接して温風乾燥ユニット６３による温風が吹き出す吹出口９１ｃ、除菌・脱臭装置７へ便鉢２１（図２参照）の内部の空気を吸込むための吸込口９１ｄが形成され、第２ノズル進退口９１ｂの幅方向の他方側に隣接して除菌・脱臭装置７から除菌・脱臭を行うための空気が吹き出す吹出口９１ｅが形成されている。
これらの集塵フィルタ着脱口９１ｆ、第１ノズル進退口９１ａ、第２ノズル進退口９１ｂ、温風乾燥ユニット６３の吹出口９１ｃ、除菌・脱臭装置７の吸込口９１ｄおよび吹出口９１ｅは、機能部３側から便鉢２１の内部に向かって斜め下側に向かうように開口されている。
【００２０】
ケース９の前面９ａのうち、これらの集塵フィルタ着脱口９１ｆ、第１ノズル進退口９１ａ、第２ノズル進退口９１ｂ、温風乾燥ユニット６３の吹出口９１ｃ、除菌・脱臭装置７の吸込口９１ｄおよび吹出口９１ｅが形成されている領域を開口形成部９１とする。
ケース９の前面９ａには、開口形成部９１を覆った状態（図２参照）と露出した状態（図３および図４参照）とに切り替えるシャッタ９２が設けられている。シャッタ９２は、第１ノズル６１１および第２ノズル６１２のいずれかの進退によって開口形成部９１を開閉可能に構成されている。
【００２１】
シャッタ９２は、幅方向に延在し、ケース９の開口形成部９１を閉塞可能な大きさの板状にされている。シャッタ９２は、ケース９の前面９ａに設けられた一対の支持具９３，９３に支持されている。一対の支持具９３，９３は、シャッタ９２の内側の面（ケース９の開口形成部９１と対向する側の面）９２ａに幅方向に間隔をあけて取り付けられている。本実施形態では、シャッタ９２は、一対の支持具９３，９３に対して着脱可能に取り付けられている。一対の支持具９３，９３は、シャッタ９２をシャッタ９２の高さ方向の中間部において幅方向に延びる回動軸９４を中心として回動可能に支持している。
【００２２】
シャッタ９２の内側の面９２ａには、２つの突起部９５，９６が形成されている。２つの突起部９５，９６のうちの一方の第１突起部９５は、シャッタ９２が開口形成部９１を覆った状態において、第１ノズル６１１の先端部と対向する位置に形成され、その先端部が回動軸９４よりも上方に配置されている。また、他方の第２突起部９６は、シャッタ９２が開口形成部９１を覆った状態において、第２ノズル６１２の先端部と対向する位置に形成され、その先端部が回動軸９４よりも下側に配置されている。
【００２３】
シャッタ９２が開口形成部９１を覆った状態において、第１ノズル６１１がノズルの移動方向の前側に移動すると、第１ノズル６１１の先端部が回動軸９４よりも上側の第１突起部９５の先端部と当接した状態でシャッタ９２を前側に押す。これにより、シャッタ９２は、図３に示すように、内側の面９２ａが上側を向き外側の面９２ｂが下側を向くように回動軸９４を中心に回動し上側を開放するように開いた状態（上側開放状態）となる。
【００２４】
これに対し、シャッタ９２が開口形成部９１を覆った状態において、第２ノズル６１２がノズルの移動方向の前側に移動すると、第２ノズル６１２の先端部が回動軸９４よりも下側の第２突起部９６の先端部と当接した状態でシャッタ９２を前側に押す。これにより、シャッタ９２は、図４に示すように、内側の面９２ａが下側を向き外側の面９２ｂが上側を向くように回動軸９４を中心に回動し下側を開放するように開いた状態（下側開放状態）となる。
第１ノズル６１１および第２ノズル６１２は、局部洗浄機能を有するとともに、シャッタ９２を上側開放状態または下側開放状態に維持する操作部材の役割も兼ねている。
【００２５】
第１ノズル６１１による洗浄を行う場合は、第２ノズル６１２をノズルの移動方向の前側に移動させてシャッタ９２を下側開放状態としてから第１ノズル６１１を前側に移動させる。このとき第１ノズル６１１の先端部分はシャッタ９２の下側からシャッタ９２よりも前方に移動させる。そして、シャッタ９２が下側開放状態であるとともに第１ノズル６１１の先端部分がシャッタ９２より前側に配置された状態で、第１ノズル６１１による洗浄を行う。
【００２６】
第２ノズル６１２による洗浄を行う場合は、第２ノズル６１２をノズルの移動方向の前側に移動させてシャッタ９２を下側開放状態とし、更に第２ノズル６１２をノズルの移動方向の前方に移動させる。そして、シャッタ９２が下側開放状態であるとともに第２ノズル６１２の先端部分がシャッタ９２より前側に配置された状態で、第２ノズル６１２による洗浄を行う。
このようにシャッタ９２が下側開放状態となりシャッタ９２の内側の面９２ａが下向きとなった状態で洗浄を行うため、洗浄時に発生した飛沫がシャッタ９２の内側の面９２ａに付着する可能性が低く、洗浄後にシャッタ９２を閉じた際にケース９内に飛沫が入り込むことを防止または抑制することができる。
【００２７】
図３に示すように、除菌・脱臭装置７は、機能部３の幅方向の略中央部で局部洗浄装置６のノズルユニット６１を取り囲むように配置されている。図５に示すように、除菌・脱臭装置７は、ノズルユニット６１（図３参照）を取り囲むように配置されたダクト７１と、ダクト７１の途中に設けられた除菌・脱臭用のファン７２と、ファン７２の上流側に配置された脱臭カートリッジ７３と、ファン７２の下流側に設けられた除菌ユニット７４と、脱臭カートリッジ７３の上流側（吸込口９１ｄ側）に設けられた集塵フィルタ７５と、を有している。
【００２８】
ダクト７１には、ケース９の前面９ａの開口形成部９１に形成された吸込口９１ｄから便鉢２１（図２参照）の内部の空気が吸引されて、ダクト７１を通過した空気が吹出口９１ｅから吹き出すように構成されている。本実施形態では、吸込口９１ｄおよび吹出口９１ｅは便器本体２の上部側に配置され便鉢２１の内部に向かって斜め下側に開口しているため、ダクト７１には便鉢２１の内部の空気が吸い込まれ、ダクト７１を通過した空気は、便鉢２１の内部に向かって斜め下方向に吹き出るように構成されている。
【００２９】
また、ダクト７１には、集塵フィルタ７５を取り付けるための集塵フィルタ取付部７１１が設けられている。
集塵フィルタ取付部７１１は、集塵フィルタ着脱口９１ｆを介して便鉢２１の内部と連通している。集塵フィルタ７５は、集塵フィルタ着脱口９１ｆを介して便鉢２１の内部から集塵フィルタ取付部７１１に着脱される。なお、集塵フィルタ取付部７１１については後述する。
【００３０】
脱臭カートリッジ７３は、脱臭用の触媒を内蔵し、通過する空気に含まれる周期を取り除く機能を有している。脱臭カートリッジ７３には、例えば活性炭などを触媒とする吸着型の脱臭剤や光触媒のように紫外線などの光線を照射することによって物質を分解する分解型の脱臭剤などが用いられている。
除菌ユニット７４は、除菌イオンを発生させて浮遊菌の繁殖を抑制するとともに除菌する機能を有している。具体的には、除菌ユニット７４は、空気を電離させてプラスイオンとマイナスイオンとを発生させて、そのプラスイオンとマイナスイオンにより浮遊菌をとりかこんで不活化させている。
【００３１】
図６に示すように、集塵フィルタ７５は、板状に形成されている。集塵フィルタ７５は、網目７５１ａが形成された集塵部７５１と、使用者が把持する取っ手７５２と、集塵部７５１と取っ手７５２とを連結する連結部７５３と、を有している。本実施形態では、集塵フィルタ７５は、ダクト７１の集塵フィルタ取付部７１１に設置されると、板面が略鉛直面となり、集塵部７５１が後側に、取っ手７５２が前側に、連結部７５３が集塵部７５１と取っ手７５２との間に配置される姿勢となる。集塵部７５１、連結部７５３、および取っ手７５２は、例えば樹脂などを材料として一体に形成されている。
【００３２】
集塵部７５１は、板面が前後方向に長い略長方形状に形成されている。集塵部７５１は、ダクト７１に吸い込まれた空気が網目７５１ａを通過することで空気内のごみやほこりを集塵するように構成されている。集塵部７５１のダクト７１の下流側の面７５１ｂには、後端部近傍にこの面７５１ｂから突出する突出部７５４が形成されている。
【００３３】
連結部７５３は、後縁部が略鉛直に延びていて、前端部が上側から下側に向かって漸次後側に向かうよう斜め方向に延びている。連結部７５３には、上端部に上側に突出する上側被係止部７５５が形成され、下端部に下側に突出する下側被係止部７５６が形成されている。
連結部７５３の上端部近傍には、上側被係止部７５５の下側に、幅方向に貫通する上側開口部７５７が形成されている。上側開口部７５７は、高さ方向よりも前後方向に長い形状に形成されている。連結部７５３の上端部近傍は、外力によって上側開口部７５７を高さ方向に潰すようにして弾性変形可能となっている。
連結部７５３の下端部近傍には、下側被係止部７５６の上側に、幅方向に貫通する下側開口部７５８が形成されている。下側開口部７５８は、高さ方向よりも前後方向に長い形状に形成されている。連結部７５３の下端部近傍は、外力によって下側開口部７５８を高さ方向に潰すようにして弾性変形可能となっている。
【００３４】
取っ手７５２は、連結部７５３の前側に連結部７５３と連続して設けられている。取っ手７５２の後端部は、連結部７５３の前端部に沿うように上側から下側に向かって漸次後側に向かうよう斜め方向に延びている。取っ手７５２の前端部は、前側に突出するＲ形状に形成されている。
【００３５】
図５および図７に示すように、集塵フィルタ取付部７１１は、ダクト７１の吸込口９１ｄと脱臭カートリッジ７３（図５参照）との間に形成されている。ダクト７１の内部のうちの集塵フィルタ取付部７１１が設けられている部分は、空気が幅方向に流れるように形成されている。
集塵フィルタ取付部７１１は、それぞれダクト７１の下面７１ａから上側に突出し、幅方向に間隔をあけて配置された第１下板部７１２と第２下板部７１３との間に形成されている。
第１下板部７１２は、集塵フィルタ取付部７１１の吸込口９１ｄ側に配置され、集塵フィルタ取付部７１１に取り付けられた集塵フィルタ７５の集塵部７５１（図６参照）の下縁部近傍と幅方向に重なる形状に形成されている。
第２下板部７１３は、集塵フィルタ取付部７１１の脱臭カートリッジ７３側に配置され、集塵フィルタ取付部７１１に取り付けられた集塵フィルタ７５の集塵部７５１の下縁部近傍と幅方向に重なる形状に形成されている。
【００３６】
また、ダクト７１の後面７１ｂには、前側に突出し幅方向に間隔をあけて配置された第１後板部７１４と、第２後板部７１５と、が設けられている。
第１後板部７１４は、下端部が第１下板部７１２と連続しており、ダクト７１の高さ方向の略全体にわたって形成されている。第１後板部７１４は、集塵フィルタ取付部７１１の吸込口９１ｄ側に配置され、集塵フィルタ取付部７１１に取り付けられた集塵フィルタ７５の集塵部７５１の後縁部近傍と幅方向に重なる形状に形成されている。
第２後板部７１５は、下端部が第２下板部７１３と連続しており、ダクト７１の高さ方向の中間部よりも下側に形成されている。第２後板部７１５は、集塵フィルタ取付部７１１の脱臭カートリッジ７３側に配置され、集塵フィルタ取付部７１１に取り付けられた集塵フィルタ７５の集塵部７５１の後縁部近傍と幅方向に重なる形状に形成されている。
【００３７】
図８に示すように、集塵フィルタ７５は、突出部７５４が形成されている面７５１ｂが第２下板部７１３および第２後板部７１５と対向する向きで集塵フィルタ取付部７１１に取り付けられる。集塵フィルタ取付部７１１に取り付けられた集塵フィルタ７５は、後端部７５ａがダクト７１の後面７１ｂと当接または近接し、集塵部７５１に形成された突出部７５４が第２後板部７１５の上部に配置されるように構成されている。
このとき、図９に示すように、集塵フィルタ７５を突出部７５４が形成されている面が第１下板部７１２および第１後板部７１４と対向する向きで集塵フィルタ取付部７１１に取り付けようとすると、集塵フィルタ７５の突出部７５４が第１後板部７１４の前端部とあたり、集塵フィルタ７５の後端部７５ａがダクト７１の後面７１ｂと離間し、集塵フィルタ取付部７１１に取り付けできないように設定されている。
【００３８】
図８に戻り、集塵フィルタ取付部７１１には、ダクト７１の上面７１ｃに上側に凹んだ凹部状の上側係止部７５９が形成され、ダクト７１の下面７１ａに下側に凹んだ凹部状の下側係止部７６０が形成されている。
上側係止部７５９は、集塵フィルタ取付部７１１に取り付けられた集塵フィルタ７５の上側被係止部７５５と対向する位置に配置されている。下側係止部７６０は、集塵フィルタ取付部７１１に取り付けられた集塵フィルタ７５の下側被係止部７５６と対向する位置に配置されている。
集塵フィルタ７５は、集塵フィルタ取付部７１１に取り付けられると、上側被係止部７５５が上側係止部７５９に入り込んで係止されるとともに、下側被係止部７５６が下側係止部７６０に入り込んで係止される。
【００３９】
また、集塵フィルタ７５は、集塵フィルタ取付部７１１に取り付けられると、取っ手７５２が集塵フィルタ着脱口９１ｆ（ケース９の開口形成部９１）よりも便鉢２１（図２参照）の内部に突出するように配置される。取っ手７５２は、シャッタ９２が閉じた状態となると、シャッタ９２の内側の面９２ａとケース９の開口形成部９１との隙間９７に収まる形状に形成されている。本実施形態では、シャッタ９２の内側の面９２ａは、閉じた状態において高さ方向の中間部が上端部および下端部よりも便鉢２１の内部に向かうように凹む湾曲面に形成されている。シャッタ９２が閉じた状態となると、シャッタ９２の内側の面９２ａの湾曲面の内側にＲ形状の取っ手７５２の前端部が配置されている。
【００４０】
集塵フィルタ７５を集塵フィルタ取付部７１１に取り付けるには、まず、シャッタ９２を上側開放状態として集塵フィルタ着脱口９１ｆを露出させる。続いて、集塵フィルタ７５の取っ手を把持して集塵フィルタ着脱口９１ｆを介して集塵フィルタ取付部７１１に集塵フィルタ７５を挿入する。
このとき、集塵フィルタ７５は、連結部７５３の上側被係止部７５５が集塵フィルタ着脱口９１ｆおよびダクト７１の上面７１ｃとあたり、連結部７５３の上端部側が上側開口部７５７を潰すように弾性変形する。また、集塵フィルタ７５は、連結部７５３の下側被係止部７５６が集塵フィルタ着脱口９１ｆおよびダクト７１の下面７１ａとあたり、連結部７５３の下端部側が下側開口部７５８を潰すように弾性変形する。
【００４１】
そして、集塵フィルタ７５の突出部７５４が第２後板部７１５の上に配置され、集塵フィルタ７５が正位置まで挿し込まれると、上側被係止部７５５が上側係止部７５９に入り込んで集塵フィルタ取付部７１１に係止されるとともに、下側被係止部７５６が下側係止部７６０に入り込んで集塵フィルタ取付部７１１に係止される。
なお、集塵フィルタ７５を集塵フィルタ取付部７１１から取り外すには、まず、シャッタ９２を上側開放状態として集塵フィルタ着脱口９１ｆを露出させる。続いて、集塵フィルタ７５の取っ手７５２を把持して集塵フィルタ着脱口９１ｆを介して集塵フィルタ取付部７１１から集塵フィルタ７５引き出して取り外す。
【００４２】
このような、除菌・脱臭装置７は、吸込口９１ｄからダクト７１に吸引された空気を集塵フィルタ７５で集塵するとともに、脱臭カートリッジ７３を通過させて脱臭し、更に、除菌ユニット７４によってプラスイオンとマイナスイオンとを含む空気にして吹出口９１ｅから吹き出すように構成されている。
【００４３】
次に、上述した脱臭装置および便器の作用・効果について図面を用いて説明する。
【００４４】
上述した本実施形態では、集塵フィルタ着脱口９１ｆは、シャッタ９２によって開閉可能であることにより、使用者が便器１を使用する際には、シャッタ９２を閉じた状態とすることで、集塵フィルタ着脱口９１ｆを介して集塵フィルタ取付部７１１に飛沫が入り込むことを防止でき、飛沫によって集塵フィルタ７５が汚れることを防止できる。
【００４５】
また、集塵フィルタ７５には取っ手７５２が設けられていることにより、シャッタ９２を開放して集塵フィルタ７５の取っ手７５２を把持することで、使用者が集塵フィルタ７５を集塵フィルタ取付部７１１に容易に着脱することができる。
また、集塵フィルタ７５は、集塵フィルタ取付部７１１に取り付けられると、上側被係止部７５５が上側係止部７５９に入り込んで係止されるとともに、下側被係止部７５６が下側係止部７６０に入り込んで係止されることにより、集塵フィルタ７５を集塵フィルタ取付部７１１に確実に設置することができる。また、集塵フィルタ７５が集塵フィルタ取付部７１１内において位置ずれすることを防止できる。
【００４６】
また、集塵フィルタ７５は、集塵フィルタ取付部７１１への取付け向きが設定されていて、集塵フィルタ７５の突出部７５４が第２後板部７１５の上に配置されるように構成されていることにより、集塵フィルタ７５を集塵フィルタ取付部７１１に正しい向きに取り付けることができる。
【００４７】
また、集塵フィルタ７５は、シャッタ９２を上側開放状態としてから集塵フィルタ取付部７１１に着脱することにより、シャッタ９２の上側から集塵フィルタ７５を集塵フィルタ取付部７１１に着脱することができるため、集塵フィルタ７５を集塵フィルタ取付部７１１に容易に着脱することができる。
また、シャッタ９２を上側開放状態とすると、飛沫によって汚れることが多いシャッタ９２の外側の面９２ｂが下側となり使用者が触れることが少ないため、シャッタ９２の外側の面９２ｂについた飛沫に使用者が触れることを防止できる。
【００４８】
以上、本発明による脱臭装置および便器の実施形態について説明したが、本発明は上記の実施形態に限定されるものではなく、その趣旨を逸脱しない範囲で適宜変更可能である。
例えば、上記の実施形態では、集塵フィルタ７５には、取っ手７５２が設けられているが、使用者が集塵フィルタ７５を集塵フィルタ取付部７１１に着脱可能であれば、取っ手７５２が設けられていなくてもよい。
また、上記の実施形態では、集塵フィルタ７５に上側被係止部７５５と下側被係止部７５６とが形成され、ダクト７１に上側係止部７５９と下側係止部７６０とが形成され、上側被係止部７５５が上側係止部７５９に係止され、下側被係止部７５６が下側係止部７６０に係止されるように構成されているが、集塵フィルタ７５がダクト７１に係止されていなくてもよい。また、集塵フィルタ７５がダクト７１に係止される形態は上記の形態以外でもよい。例えば、集塵フィルタ７５には、上側被係止部７５５および下側被係止部７５６のいずれか一方が設けられていて、ダクト７１には上側係止部７５９および下側係止部７６０の対応する一方が設けられていてもよい。
【００４９】
また、上記の実施形態では、集塵フィルタ７５は、板状に形成されて、板面が略鉛直面となる向きに設置されているが、集塵フィルタ７５の形態や設置される向きは適宜設定されてよい。
また、上記の実施形態では、集塵フィルタ７５には突出部７５４が形成されていて、集塵フィルタ７５は、正しい向きであると突出部７５４が第２後板部７１５の上に配置されて集塵フィルタ取付部７１１に取り付けられて、逆向きであると突出部７５４が第１後板部７１４とあたって集塵フィルタ取付部７１１に取付けられないように集塵フィルタ７５の逆向き取付防止機構が設けられている。これに対し、集塵フィルタ７５の逆向き取付防止機構が設けられていなくてもよい。
また、他の形態の集塵フィルタ７５の逆向き取付防止機構が設けられていてもよい。例えば、正しい向きであれば集塵フィルタ７５が嵌合し、逆向きであれば集塵フィルタ７５が嵌合しない嵌合部がダクト７１に形成されていてもよい。
【００５０】
また、上記の実施形態では、シャッタ９２は、上側開放状態および下側開放状態の両方の開放状態となる形態であるが、下側開放状態のみになる形態であってもよい。このような場合は、シャッタ９２を下側開放状態として集塵フィルタ７５を集塵フィルタ取付部７１１に着脱する。また、シャッタ９２の開閉機構は、上記の形態以外であってもよい。
また、上記の実施形態では、シャッタ９２は、第１ノズル６１１および第２ノズル６１２のいずれかの進退によって上側開放状態または下側開放状態に維持されているが、第１ノズル６１１および第２ノズル６１２以外の操作部材で上側開放状態または下側開放状態に維持されていてもよい。また、使用者が直接シャッタ９２を把持して上側開放状態または下側開放状態に維持するようにしてもよい。
また、上記の実施形態では、シャッタ９２は、集塵フィルタ着脱口９１ｆ、第１ノズル進退口９１ａ、第２ノズル進退口９１ｂ、温風乾燥ユニット６３の吹出口９１ｃ、除菌・脱臭装置７の吸込口９１ｄおよび吹出口９１ｅが形成されている開口形成部９１を開閉可能に構成されているが、少なくとも集塵フィルタ着脱口９１ｆを開閉可能に構成されていればよい。
また、上記の実施形態では、除菌・脱臭装置７が設けられているが、除菌・脱臭装置７に代わって、脱臭のみを行う脱臭装置が設けられていてもよい。
【符号の説明】
【００５１】
１  便器
２  便器本体
３  機能部
７  除菌・脱臭装置（脱臭装置）
２１  便鉢
７１  ダクト（脱臭流路）
７５  集塵フィルタ
９１ｄ  吸込口
９１ｆ  集塵フィルタ着脱口
９２  シャッタ
９７  隙間
７５２  取っ手
７５４  突出部（逆向き取付防止機構）
７５５  上側被係止部
７５６  下側被係止部
７５９  上側係止部
７６０  下側係止部
【図１】
0006487297.tif 000002
【図２】
0006487297.tif 000003
【図３】
0006487297.tif 000004
【図４】
0006487297.tif 000005
【図５】
0006487297.tif 000006
【図６】
0006487297.tif 000007
【図７】
0006487297.tif 000008
【図８】
0006487297.tif 000009
【図９】
0006487297.tif 000010